(57)【要約】【解決手段】  移動通信ハンドオーバー方法および、そのシステムならびに基地局が本発明の実施形態において開示される。本方法は、ＤＣＨトラフィックのみを伝送する第１リンクに加えてＤＣＨおよびＥ−ＤＣＨトラフィックを伝送する第２リンクおよび任意のトラフィックを伝送する第３リンクを付加する工程と、第１リンクおよび第２リンクのＤＣＨトラフィックをソフター合成する工程と、第３リンクの付加に失敗した場合、RADIO LINK ADDITION FAILUREメッセージ内の同じチョイス・ダイバーシティー・インディケーション・フィールドではないフィールド内で伝送されるＤＣＨソフター合成情報およびＥ−ＤＣＨトラフィック付加情報によって無線ネットワーク・コントローラに通知する工程と、を含んでいる。本発明の実施形態によって、通信ハンドオフの成功率を向上させ、連続する通信を維持することができる。【選択図】      図８
2010502137.tif 000002
【特許請求の範囲】
【請求項１】
ＤＣＨトラフィックのみを伝送する第１リンクに加えて、ＤＣＨおよびＥ−ＤＣＨトラフィックを伝送する第２リンクおよび任意のトラフィックを伝送する第３リンクを付加する工程と、
前記第３リンクの付加に失敗した場合、前記第１および第２リンク上のＤＣＨトラフィックをソフター合成する工程と、
前記ＤＣＨトラフィックのソフター合成の情報とＥ−ＤＣＨトラフィックの付加の情報の両方を無線ネットワーク・コントローラに通知する工程と、
を具備し、
前記無線ネットワーク・コントローラは、受信した前記ＤＣＨトラフィックのソフター合成の情報とＥ−ＤＣＨトラフィックの付加の情報に応じて通信制御を行なう、移動通信ハンドオーバー方法。
【請求項２】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知されるか、
前記ＤＣＨトラフィックのソフター合成の情報および前記Ｅ−ＤＣＨトラフィックの付加の情報が、RADIO LINK ADDITION RESPONSEメッセージ内の相違する第１レベル・フィールド内で伝送されて前記無線ネットワーク・コントローラに通知される、
請求項１の移動通信ハンドオーバー方法。
【請求項３】
RADIO LINK ADDITION FAILUREメッセージを介して前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、請求項２の移動通信ハンドオーバー方法。
【請求項４】
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知される、請求項１の移動通信ハンドオーバー方法。
【請求項５】
前記Ｅ−ＤＣＨトラフィックの付加の情報が、Ｅ−ＤＣＨトラフィックが別の無線リンクと合成される必要がある場合は前記E-DCH FDD Information Responseがヌルとされ、そうでない場合は埋められる形で、前記無線ネットワーク・コントローラに通知される、請求項２乃至４のいずれか１項の移動通信ハンドオーバー方法。
【請求項６】
前記第１リンクおよび前記第２リンクが同じ基地局に対して確立され、
ＤＣＨトラフィックのみを伝送する前記第１リンクに加えてＤＣＨおよびＥ−ＤＣＨトラフィックを伝送する前記第２リンクを付加する工程の前に、前記第１リンクおよび前記第２リンクが従属する前記基地局と異なる基地局の下でＤＣＨおよびＥ−ＤＣＨトラフィックを実行する工程をさらに具備する、
請求項１乃至４のいずれか１項の移動通信ハンドオーバー方法。
【請求項７】
第１基地局および無線ネットワーク・コントローラを具備する移動通信システムであって、
前記第１基地局が、前記第１基地局に従属するＤＣＨトラフィックのみを伝送する第１リンクを有し、ＤＣＨおよびＥ−ＤＣＨトラフィックを伝送する第２リンクおよび任意のトラフィック伝送する第３リンクを付加し、前記第３リンクの付加に失敗した場合に前記第１および第２リンク上のＤＣＨトラフィックをソフター結合し、ＤＣＨトラフィックのソフター結合の情報およびＥ−ＤＣＨトラフィックの付加の情報の両方を前記無線ネットワーク・コントローラに通知し、
前記無線ネットワーク・コントローラが、前記受信した情報に応じて通信制御を行なう、
第１基地局および無線ネットワーク・コントローラを具備する移動通信システム。
【請求項８】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知されるか、
前記ＤＣＨトラフィックのソフター合成の情報および前記Ｅ−ＤＣＨトラフィックの付加の情報が、RADIO LINK ADDITION RESPONSEメッセージ内の相違する第１レベル・フィールド内で伝送されて前記無線ネットワーク・コントローラに通知される、
請求項７の移動通信システム。
【請求項９】
RADIO LINK ADDITION FAILUREメッセージを介して前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、請求項２の移動通信システム。
【請求項１０】
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知される、請求項１の移動通信システム。
【請求項１１】
ユーザ機器とＤＣＨおよびＥ−ＤＣＨトラフィックを実行する第２基地局をさらに具備する、請求項７乃至１０のいずれか１項の移動通信システム。
【請求項１２】
無線ネットワーク・コントローラによって制御され、ＤＣＨトラフィックのみを伝送する第１リンクを管理し、ＤＣＨおよびＥ−ＤＣＨトラフィックを伝送する第２リンクおよび任意のトラフィックを伝送する第３リンクを付加する、リンク管理ユニットと、
前記第３リンクの付加に失敗した場合に前記第１および第２リンク上のＤＣＨトラフィックをソフター合成するソフター合成ユニットと、
ＤＣＨトラフィックのソフター合成の情報およびＥ−ＤＣＨトラフィックの付加の情報の両方を前記無線ネットワーク・コントローラに通知するハンドオーバー情報生成ユニットと、
を具備する、移動通信基地局。
【請求項１３】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知されるか、
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知されるか、
前記ＤＣＨトラフィックのソフター合成の情報および前記Ｅ−ＤＣＨトラフィックの付加の情報が、RADIO LINK ADDITION RESPONSEメッセージ内の相違する第１レベル・フィールド内で伝送されて前記無線ネットワーク・コントローラに通知され、
前記ＤＣＨトラフィックのソフター合成の情報および前記Ｅ−ＤＣＨトラフィックの付加の情報がRADIO LINK ADDITION FAILUREメッセージの同じチョイス・ダイバーシティー・インディケーション・フィールドではないフィールド内で前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、
請求項１２の基地局。
【発明の詳細な説明】
【優先権の主張】
【０００１】
本願は、２００６年８月３１日に中国特許庁に提出され、「METHOD FOR MOBILE COMMUNICATION HANDOVER AND SYSTEM AND BASE STATION THEREOF」と題する中国出願番号２００６１０１１１８７４．Ｘの優先権を享受し、この出願の全内容は参照することによって本明細書に組み込まれる。
【技術分野】
【０００２】
本発明は、通信方法およびそのシステムならびに基地局に関し、特に、移動通信ハンドオーバー方法およびそのシステムならびに基地局に関する。
【背景技術】
【０００３】
図１を参照すると、従来技術におけるセルのハンドオーバーに関与する無線ネットワークは、無線ネットワーク・コントローラ（ＲＮＣ）１１０、ノード（ＮＯＤＥＢ、すなわちＷＣＤＭＡシステムの基地局）１２０、ノード１２０の下に位置するユーザ装置（ＵＥ）１４０を含んでいる。ＵＥ１４０がセル１３０相互間でハンドオーバーされる際、ノード１２０によって無線リンク付加（RADIO LINK ADDITION：RLADDITION）信号送信プロセスにおいて関連情報が付加されてＲＮＣ１１０に通知される。
【０００４】
図１および図２を参照すると、従来技術でのハンドオーバーの例、すなわちセル１３０相互間で専用チャネル／強化上りリンク専用チャネル（Dedicated Channel/Enhanced Uplink(UL) Dedicated Channel: DCH/E-DCH）トラフィックの切替えは、以下のステップを含んでいる。
【０００５】
２０１：ステージ１において、ＵＥ１４０は、無線リンク確立のための信号送信プロセスによって、ＮＯＤＥＢ０のＣＥＬＬ０（ＣＥＬＬは、ＷＣＤＭＡシステムの場合、ロジック・セルである）内に無線リンク（ＲＬ）０を確立する。ＣＥＬＬ０は、ＤＣＨおよびＥ−ＤＣＨトラフィックの両方をサポートする。ＲＬ０上で伝送される具体的なトラフィックは、３．４Ｋ＋６４Ｋ（下りリンクのみ）＋高速上りリンク・パケット・アクセス（ＨＳＵＰＡ）である。ここで、ＤＣＨトラフィックが３．４Ｋ＋６４Ｋ（下りリンクのみ）を指し、Ｅ−ＤＣＨトラフィックがＨＳＵＰＡを指している。
【０００６】
２０２：ステージ２において、ＵＥ１４０は、ＮＯＤＥＢ０のＣＥＬＬ０およびＮＯＤＥＢ１のＣＥＬＬ１の共通の通信範囲へと移動し、無線リンク確立のための信号送信プロセスによってＮＯＤＥＢ１のＣＥＬＬ１内にＲＬ１を確立する。ＣＥＬＬ１は、ＤＣＨトラフィックのみをサポートする。このため、ＲＬ１上で伝送される具体的なトラフィックは、ＤＣＨ：３．４Ｋ＋６４Ｋ（下りリンクのみ）である。この時点で、ＵＥ１４０は２つの無線リンクＲＬ０、ＲＬ１を有している。これらのリンク上のＤＣＨデータはＮＯＤＥＢ１でソフト合成される。ここで、ソフト合成とは、ＲＮＣ１１０側で無線リンクが選択されることを指す。
【０００７】
２０３：ＵＥ１４０が移動を続けると、ステージ３において、ＵＥ１４０は、無線リンク確立のための信号送信プロセスによってＮＯＤＥＢ１のＣＥＬＬ２内にＲＬ２を付加する。ＣＥＬＬ２は、ＤＣＨおよびＥ−ＤＣＨトラフィックをサポートする。ＲＬ２を付加するためのプロセスは、以下を含んでいる。
【０００８】
ａ：ＣＥＬＬ２およびＵＥ１４０が、各々の信号を検出する。
【０００９】
ｂ：ＣＥＬＬ２およびＵＥ１４０が、ＮＯＤＥＢ１を介してＲＮＣ１１０に各々の検出結果を報告する。
【００１０】
ｃ：ＲＮＣ１１０が、リンクＲＬ２を付加する要求をＮＯＤＥＢ１に送信する。
【００１１】
ｄ：ＮＯＤＥＢ１が、リンクＲＬ２を付加するとともにRL ADDITION信号送信プロセスによってリンク確立結果をＲＮＣ１１０に通知し、ＲＮＣ１１０がリンク確立結果に応じて通信制御を行なう。
【００１２】
２０４：ＵＥ１４０がステージ４へと移動を続けると、ＣＥＬＬ０およびＣＥＬＬ１内のＵＥ１４０のための信号が弱くなるので、ＲＮＣ１１０はＲＬ０およびＲＬ１を削除し、ＵＥ１４０は無線リンクＲＬ２のみを有する。
【００１３】
上記のステップ２０３において、ＣＥＬＬ２はＤＣＨおよびＥ−ＤＣＨトラフィックをサポートするとともにＣＥＬＬ０もＥ−ＤＣＨトラフィックをサポートするので、ＲＮＣ１１０は、トラフィック継続するために、ＮＯＤＥＢ１に新たに付加されたＲＬ２上のＥ−ＤＣＨトラフィックを伝送することを依頼する。よって、ＲＬ２上で伝送される具体的なトラフィックは、３．４Ｋ＋６４Ｋ（下りリンクのみ）＋ＨＳＵＰＡである。この時点で、ＵＥ１４０は３つの無線リンクＲＬ０、ＲＬ１、ＲＬ２を有している。ＲＬ０は、それぞれＲＬ１、ＲＬ２とＤＣＨソフト合成される。ＲＬ１、ＲＬ２は、ソフター合成される。ソフター合成とは、複数の無線リンクがＮＯＤＥＢ側で、データをＲＮＣ１１０に送信するための１つのリンクへと合成されることを指す。
【００１４】
概して、リンクがソフター合成されたことおよびＤＣＨ／Ｅ−ＤＣＨが新たに確立されたこと／新たに付加されたことは、RL ADDITION信号送信プロセスによってＲＮＣ１１０に通知される必要がある。ソフト合成は２つのＮＯＤＥＢの間でリンクが選択されるものであり、ＲＮＣ１１０が直接行なうものだからである。複数のリンクが１つのＮＯＤＥＢで合成されるソフター合成は、ＮＯＤＥＢによってRL ADDITION信号内で示される必要がある。同様に、やはり１つのＮＯＤＥＢにおいて実行されるＤＣＨ／Ｅ−ＤＣＨの新たな確立／新たな付加は、ＮＯＤＥＢによるRL ADDITION信号内で示される必要がある。
【００１５】
表１を参照すると、ステップ２０３のサブステップｄにおいて、Ｅ−ＤＣＨトラフィックの新たな確立の情報およびＤＣＨトラフィックのソフター合成の情報が、ＮＯＤＥＢ１からＲＮＣ１１０に送信されるRADIO LINK ADDITION RESPONSメッセージ内でＲＮＣ１１０に通知される。
【表１】
2010502137.tif 000003
【００１６】
１．Ｅ−ＤＣＨトラフィックの新たな確立については、E-DCH Frequency Division Duplex (FDD) Information Response情報レスポンス情報に対応するNon CombiningがＮＯＤＥＢ１からＲＮＣ１１０に送信されるRADIO LINK ADDITION RESPONSEメッセージのCHOICE Diversity Indicationフィールド内で選択される必要がある。これによって、ＲＮＣ１１０は、ＵＥ１４０がＥ−ＤＣＨトラフィックを伝送するリンクの確立を要していることを知得する。
【００１７】
２．ＤＣＨトラフィックのソフター合成については、CHOICE Diversity Indicationフィールド内でＲＬ識別子（ＩＤ）に対応するCombiningが選択される必要がある。これによって、ＲＮＣ１１０は、ＵＥ１４０がＤＣＨのソフター合成を要していることを知得する。
【００１８】
表１のInformation Element (IE) の列において、記号「＞」は、第１レベル・フィールドを表わし、記号「＞」に続く記号「＞＞」は第１レベル・フィールドに従属する第２レベル・フィールドを表わし、記号「＞＞＞」は、第２レベル・フィールドに対応する第３レベル・フィールドを表わしている。CHOICE Diversity Indicationフィールドに対して、２つの第２レベル・フィールドCombiningおよびNon Combiningが設けられている。CombiningおよびNon Combiningには、第３レベル・フィールドRL IDおよびDCH Information Responseがそれぞれ従属する。Combiningフィールドが用いられてＲＮＣにソフター合成が通知され、Non Combiningフィールドが用いられてＲＮＣにＤＣＨ／Ｅ−ＤＣＨの新たな確立／新たな付加が通知される。
【００１９】
RADIO LINK ADDITION RESPONSEメッセージに対して、CHOICE Diversity Indicationフィールドにおいて第２レベル・フィールドが１つだけ、すなわちCombiningまたはNon Combiningが選択可能である。換言すれば、CHOICE Diversity Indicationフィールドにおいて、１つのエントリのみ、CombiningまたはNon Combiningだけが選択可能である。この場合、CHOICE Diversity Indicationフィールドの中身が何であるかに関わらず、CHOICE Diversity Indicationフィールドは誤ったものとなる。
【００２０】
ステップ２０４において、ＵＥ１４０がステージ４へと移動すると、ＣＥＬＬ０、ＣＥＬＬ１内のＵＥ１４０のための信号が弱くなるため、ＲＮＣ１１０はＲＬ０、ＲＬ１を削除し、ＵＥ１４０は無線リンクＲＬ２のみを有する。
【００２１】
この場合で、CHOICE Diversity Indicationフィールドではエントリ１つのみしか選択できない故にステップ２０３においてCombiningがCHOICE Diversity Indicationフィールド内で選択された場合、E-DCH FDD Information ResponseをＲＮＣに通知することができない。よって、ステージ４において、ＵＥ１４０についてのＥ−ＤＣＨに対応するＨＳＵＰＡトラフィックは中断される。ステップ２０３においてNon CombiningがCHOICE Diversity Indicationフィールド内で選択された場合、ＮＯＤＥＢ１はDCH Information Response IEを埋めることができず、ＮＯＤＥＢ１がＲＬ２を付加することは失敗に終わる。よって、ステージ４において、ＵＥ１４０のために利用可能な無線リンクは１つも無く、ＵＥ１４０に対する全てのトラフィックが中断される。
【００２２】
別の場合、上記のステップ２０３は、図３および図４に示すように、２０３´となる場合がある。
【００２３】
２０３´：ＵＥ１４０が移動を続けると、ステージ３において、ＵＥ１４０は、無線リンク確立のための信号送信プロセスによってＮＯＤＥＢ１のＣＥＬＬ２内にＲＬ２を付加することに成功し、無線リンク確立のための信号送信プロセスによってＮＯＤＥＢ１のＣＥＬＬ３内にＲＬ３を付加しようとするが失敗する。ＣＥＬＬ２はＤＣＨおよびＥ−ＤＣＨトラフィックをサポートし、ＣＥＬＬ３はあらゆるトラフィック、例としてＤＣＨトラフィックまたはＥ−ＤＣＨトラフィックのみ、または可能性としてＤＣＨトラフィックおよびＥ−ＤＣＨトラフィックの両方をサポートするセルであるかもしれない。ＲＬ２の付加に成功するとともにＲＬ３の付加に失敗するプロセスは、以下を含んでいる。
【００２４】
ａ：ＣＥＬＬ２、ＣＥＬＬ３、ＵＥ１４０が、それぞれ、各々の信号を検出する。
【００２５】
ｂ：ＣＥＬＬ２、ＣＥＬＬ３、ＵＥ１４０が、ＮＯＤＥＢ１を介してＲＮＣ１１０に各々の検出結果を報告する。
【００２６】
ｃ：ＲＮＣ１１０が、ＲＬ２、ＲＬ３を付加する要求をＮＯＤＥＢ１に送信する。
【００２７】
ｄ：ＮＯＤＥＢ１は、ＲＬ２の付加に成功するが、ＲＬ３の付加に失敗し、表１に示されているRADIO LINK ADDITION RESPONSEメッセージではなく表２に示されているRADIO LINK ADDITION FAILUREメッセージによってリンク確立結果をＲＮＣ１１０に通知する。
【００２８】
ＲＮＣ１１０は、リンク確立結果に応じて通信制御を行なう。
【表２】
2010502137.tif 000004
【００２９】
表２において、Successful RL Information Responseフィールドに対して、これに従属するCHOICE Diversity Indicationフィールドが設けられている。CHOICE Diversity Indicationフィールドは、表１のものと同じであるが、第３レベル・フィールドになっている。CHOICE Diversity Indicationフィールドには２つの第４レベル・フィールドCombiningおよびNon Combiningが従属している。２つの第４レベル・フィールドには、第５レベル・フィールドRL IDと、DCH Information ResponseおよびE-DCH FDD Information Responseとが、それぞれこれらに従属して設けられている。Combiningフィールドが用いられてソフター合成がＲＮＣに通知され、Non Combiningフィールドが用いられてＤＣＨ／Ｅ−ＤＣＨの新たな確立／新たな付加がＲＮＣに通知される。
【００３０】
同様に、RADIO LINK ADDITION FAILUREメッセージに対して、CHOICE Diversity Indicationフィールドに第４レベル・フィールドが１つだけ、すなわちCombiningまたはNon Combiningが選択可能である。換言すれば、CHOICE Diversity Indicationフィールドにおいて、１つのエントリのみ、CombiningまたはNon Combiningが選択可能である。この場合、CHOICE Diversity Indicationフィールドの中身が何であるかに関わらず、CHOICE Diversity Indicationフィールドは誤ったものとなる。このことは、RADIO LINK ADDITION RESPONSEメッセージについて上記したのと同じ理由である。
【００３１】
従来技術においてＵＥのためのセル間でのＤＣＨ／Ｅ−ＤＣＨトラフィックを切り替えるプロセスは、上記のシナリオに限られない。上記の技術的問題は、ソフター合成が必要であり、関連するトラフィックの確立がＲＮＣに報告される必要がある場合に生じ得る。換言すれば、現在の４３３プロトコルのRADIO LINK ADDITION RESPONSE/RADIO LINK ADDITION FAILUREメッセージの構造に不足があるため、ＮＯＤＥＢは現在のユーザのためのリンクの情報をＲＮＣに通知することができない。この結果、ＩＵＢインターフェース（ＲＮＣとノードＢとの間のインターフェース）での信号送信プロセスにおいてエラーが生じる。
【発明の概要】
【００３２】
本発明の実施形態によって、移動通信ハンドオーバー方法、移動通信ハンドオーバー・システムおよび基地局が提供され、これによって移動通信ハンドオーバーの成功率が向上する。
【００３３】
本発明の実施形態によって、以下の解決策が提供される。
【００３４】
ＤＣＨトラフィックのみを伝送する第１リンクに加えて、ＤＣＨおよびＥ−ＤＣＨトラフィックを伝送する第２リンクおよび任意のトラフィックを伝送する第３リンクを付加する工程と、
前記第３リンクの付加に失敗した場合、前記第１および第２リンク上のＤＣＨトラフィックをソフター合成する工程と、
前記ＤＣＨトラフィックのソフター合成の情報とＥ−ＤＣＨトラフィックの付加の情報の両方を無線ネットワーク・コントローラに通知する工程と、
を具備し、
前記無線ネットワーク・コントローラは、受信した前記ＤＣＨトラフィックのソフター合成の情報とＥ−ＤＣＨトラフィックの付加の情報に応じて通信制御を行なう、移動通信ハンドオーバー方法。
【００３５】
第１基地局および無線ネットワーク・コントローラを具備する移動通信システムであって、
前記第１基地局が、前記第１基地局に従属するＤＣＨトラフィックのみを伝送する第１リンクを有し、ＤＣＨおよびＥ−ＤＣＨトラフィックを伝送する第２リンクおよび任意のトラフィック伝送する第３リンクを付加し、前記第３リンクの付加に失敗した場合に前記第１および第２リンク上のＤＣＨトラフィックをソフター結合し、ＤＣＨトラフィックのソフター結合の情報およびＥ−ＤＣＨトラフィックの付加の情報の両方を前記無線ネットワーク・コントローラに通知し、
前記無線ネットワーク・コントローラが、前記受信した情報に応じて通信制御を行なう、
第１基地局および無線ネットワーク・コントローラを具備する移動通信システム。
【００３６】
無線ネットワーク・コントローラによって制御され、ＤＣＨトラフィックのみを伝送する第１リンクを管理し、ＤＣＨおよびＥ−ＤＣＨトラフィックを伝送する第２リンクおよび任意のトラフィックを伝送する第３リンクを付加する、リンク管理ユニットと、
前記第３リンクの付加に失敗した場合に前記第１および第２リンク上のＤＣＨトラフィックをソフター合成するソフター合成ユニットと、
ＤＣＨトラフィックのソフター合成の情報およびＥ−ＤＣＨトラフィックの付加の情報の両方を前記無線ネットワーク・コントローラに通知するハンドオーバー情報生成ユニットと、
を具備する、移動通信基地局。
【００３７】
本発明の実施形態によれば、ＤＣＨトラフィックのソフター合成の情報およびＥ−ＤＣＨトラフィックの付加の情報が、無線ネットワーク・コントローラに通知される。このため、従来技術において第３レベル・フィールドCHOICE Diversity Indicationにおいてただ第４レベル・フィールド１つだけ選択可能であるためにソフター合成の情報およびＥ−ＤＣＨトラフィックの付加の情報の一方のみが選択可能であることによる通信障害を回避する。これにより、異なるノード間でのＵＥの移動ハンドオーバーの成功率が向上し、正常で安定した通信を確保できる。
【図面の簡単な説明】
【００３８】
【図１】従来技術における移動通信ハンドオーバーのシナリオを例示する概略図。
【図２】図１に例示のシナリオおける移動通信ハンドオーバーのフローチャート。
【図３】従来技術における移動通信ハンドオーバーの別のシナリオを例示する概略図。
【図４】図３に例示のシナリオにおける移動通信ハンドオーバーのフローチャート。
【図５】本発明に係る移動通信システムの第１実施形態を例示する概略図。
【図６】本発明に係る移動通信ハンドオーバー方法の第１実施形態を例示するフローチャート。
【図７】本発明に係る移動通信システムの第２実施形態を例示する概略図。
【図８】本発明に係る移動通信ハンドオーバー方法の第２実施形態を例示するフローチャート。
【発明を実施するための形態】
【００３９】
本発明の実施形態によると、移動通信ハンドオーバーにおいてソフター合成の実行が必要であるとともに関連トラフィックの確立／付加のＲＮＣへの報告が必要な際、ＲＮＣは、修正された４３３プロトコルに従ったRL ADDITION信号送信によってソフター合成の情報およびＥ−ＤＣＨトラフィックの確立の情報がＲＮＣに通知される。具体的には、ＤＣＨトラフィックのソフター合成の情報およびＥ−ＤＣＨトラフィックの付加の情報は、RADIO LINK ADDITION RESPONSEまたはRADIO LINK ADDITION FAILUREメッセージの同じCHOICE Diversity Indicationフィールド内で搬送されずに、ＲＮＣに通知される。
【００４０】
本発明の実施形態を、例および添付の図面を参照して詳細に説明する。
【００４１】
ソフター合成の実行が必要であるとともに関連トラフィックの確立のＲＮＣへの報告が必要な際の本発明の実施形態の実行方法を例示する例を示す。これらの例は、第１ＮＯＤＥＢのＣＥＬＬがＤＣＨおよびＥ−ＤＣＨ（以下、ＤＣＨ／Ｅ−ＤＣＨと称する）トラフィックをサポートし、第２ＮＯＤＥＢがＤＣＨ／Ｅ−ＤＣＨトラフィックをサポートする１つのＣＥＬＬとＤＣＨトラフィックのみをサポートする１つまたは２つのＣＥＬＬの計２つまたは３つのＣＥＬＬを有している２つのＮＯＤＥＢ間でのＵＥの移動通信ハンドオーバーのシナリオに関わる。ＵＥは第１ＮＯＤＥＢのＣＥＬＬから、ＤＣＨトラフィックのみをサポートする第２ＮＯＤＥＢのＣＥＬＬへと移動し、次いでＤＣＨ／Ｅ−ＤＣＨトラフィックをサポートする第２ＮＯＤＥＢのＣＥＬＬへと移動する。
【００４２】
図５を参照すると、本発明に係る移動通信ハンドオーバー方法の第１実施形態は、ＵＥ３４０がセル３３０相互間でＤＣＨ／Ｅ−ＤＣＨトラフィックを切り替えるプロセスである。ＵＥ３４０の移動通信ハンドオーバーは、ともにＲＮＣ３１０によって制御される２つのＮＯＤＥＢ３２１とＮＯＤＥＢ３２２の間で実行される。ＮＯＤＥＢ３２１はＣＥＬＬ０を有し、ＮＯＤＥＢ３２２はＣＥＬＬ１およびＣＥＬＬ２を有する。図５および図６を参照すると、本プロセスは以下のステップを含んでいる。
【００４３】
４０１：ステージ１において、ＵＥ３４０は、無線リンク確立のための信号送信プロセスによって、ＮＯＤＥＢ３２１のＣＥＬＬ０内にＲＬ０を確立する。ＣＥＬＬ０は、ＤＣＨおよびＥ−ＤＣＨトラフィックをサポートする。ＲＬ０上で伝送される具体的なトラフィックは、３．４Ｋ＋６４Ｋ（下りリンクのみ）＋ＨＳＵＰＡである。ここで、ＤＣＨトラフィックが３．４Ｋ＋６４Ｋ（下りリンクのみ）を指し、Ｅ−ＤＣＨトラフィックがＨＳＵＰＡを指している。
【００４４】
４０２：ステージ２において、ＵＥ３４０は、ＮＯＤＥＢ３２１のＣＥＬＬ０およびＮＯＤＥＢ３２２のＣＥＬＬ１の共通の通信範囲へと移動し、無線リンク確立のための信号送信プロセスによって、ＮＯＤＥＢ３２２のＣＥＬＬ１内にＲＬ１を確立する。ＣＥＬＬ１は、ＤＣＨトラフィックのみをサポートする。このため、ＲＬ１上で伝送される具体的なトラフィックは、ＤＣＨ：３．４Ｋ＋６４Ｋ（下りリンクのみ）である。この時点で、ＵＥ３４０は２つの無線リンクＲＬ０、ＲＬ１を有している。これらのリンク上のＤＣＨデータはＮＯＤＥＢ３２２でソフト合成される。
【００４５】
４０３：ＵＥ３４０が移動を続けると、ステージ３において、ＵＥ３４０は、無線リンク確立のための信号送信プロセスによってＮＯＤＥＢ３２２のＣＥＬＬ２内にＲＬ２を付加する。ＣＥＬＬ２は、ＤＣＨおよびＥ−ＤＣＨトラフィックをサポートする。ＲＬ２付加するためのプロセスは、以下を含んでいる。
【００４６】
４０３ａ：ＣＥＬＬ２およびＵＥ３４０が、各々の信号を検出する。
【００４７】
４０３ｂ：ＣＥＬＬ２およびＵＥ３４０が、ＮＯＤＥＢ３２２を介してＲＮＣ１１０に各々の検出結果を報告する。
【００４８】
４０３ｃ：ＲＮＣ１１０が、リンクＲＬ２を付加する要求をＮＯＤＥＢ３２２に送信する。
【００４９】
４０３ｄ：ＮＯＤＥＢ３２２が、リンクＲＬ２を付加する。
【００５０】
４０３ｅ：ＲＬ１およびＲＬ２のＤＣＨトラフィックがソフター合成される。
【００５１】
４０３ｆ：RADIO LINK ADDITION RESPONSEメッセージの異なる第１レベル・フィールド内でＤＣＨトラフィックのソフター合成の情報およびＥ−ＤＣＨトラフィックの付加の情報を伝送することによってリンク確立結果をＲＮＣ３１０に通知し、ＲＮＣ３１０がリンク確立結果に応じて通信制御を行なう。
【００５２】
４０４：ＵＥ３４０がステージ４へと移動を続けると、ＣＥＬＬ０およびＣＥＬＬ１内のＵＥ３４０のための信号が弱くなるので、ＲＮＣ３１０はＲＬ０およびＲＬ１を削除すし、首尾よくＲＬ２を維持し、ＨＳＵＰＡトラフィックは中断されない。
【００５３】
上記のステップ４０３において、ＣＥＬＬ２はＤＣＨおよびＥ−ＤＣＨトラフィックをサポートするとともにＣＥＬＬ０もＥ−ＤＣＨトラフィックをサポートするので、ＲＮＣ３１０は、トラフィックを継続するために、ＮＯＤＥＢ３２２に新たに付加されたＲＬ２上のＥ−ＤＣＨトラフィックを伝送することを依頼する。よって、ＲＬ２上で伝送される具体的なトラフィックは、３．４Ｋ＋６４Ｋ（下りリンクのみ）＋ＨＳＵＰＡである。この時点で、ＵＥ３４０は３つの無線リンクＲＬ０、ＲＬ１、ＲＬ２を有している。ＲＬ０は、それぞれＲＬ１、ＲＬ２とＤＣＨソフト合成される。ＲＬ１、ＲＬ２は、ソフター合成される。
【００５４】
ここで、リンクのソフター合成およびＤＣＨ／Ｅ−ＤＣＨの新たな確立／新たな付加は、RL ADDITION信号送信プロセスによってＲＮＣ３１０に通知される必要がある。
【００５５】
表３を参照すると、ステップ４０３のサブステップ４０３ｆにおいて、Ｅ−ＤＣＨトラフィックの新たな確立の情報およびＤＣＨトラフィックのソフター合成の情報が、ＮＯＤＥＢ３２２からＲＮＣ３１０に送信されるRADIO LINK ADDITION RESPONSEメッセージ内でＲＮＣ３１０に通知される。
【表３】
2010502137.tif 000005
【００５６】
表３内の列ＩＥにおいて、記号「＞」は第１レベル・フィールドを表わしており、記号「＞」に続く記号「＞＞」は第１レベル・フィールドに従属する第２レベル・フィールドを表わしており、記号「＞＞＞」は第２レベル・フィールドに対応する第３レベル・フィールドを表わしている。
【００５７】
第１レベル・フィールドCHOICE Diversity Indicationに対して、２つの第２レベル・フィールドCombiningとNon combiningが設けられている。CombiningとNon combiningには、第３レベル・フィールドRL IDおよびDCH Information Responseがそれぞれ従属する。Combiningフィールドが用いられてＲＮＣにソフター合成が通知され、Non Combiningフィールドが用いられてＲＮＣにＤＣＨの新たな確立／新たな付加が通知される。
【００５８】
第１レベル・フィールドE-DCH FDD Information Responseが用いられて、Ｅ−ＤＣＨの新たな確立／新たな付加がＲＮＣに通知される。この実施形態では、このフィールドが用いられて、ＵＥ３４０がＥ−ＤＣＨトラフィックを伝送するリンクの確立を要していることが、ＲＮＣ３１０に通知される。換言すれば、もともとフィールドCHOICE Diversity IndicationのフィールドNon Combiningに従属していたフィールドE-DCH FDD Information Responseが、CHOICE Diversity Indicationと並列になるように変更される。よって、ＲＬ上のＤＣＨのCombining／Non CombiningおよびＥ−ＤＣＨの新たな確立／新たな付加は、相互に独立したものとなる。ＤＣＨのCombiningは、CHOICE Diversity Indication IEによって示されている。
【００５９】
換言すれば、本発明の実施形態によれば、RADIO LINK ADDITION RESPONSEメッセージ内において、異なる第１レベル・フィールドである第１レベル・フィールドCHOICE Diversity Indicationおよび第１レベル・フィールドE-DCH FDD Information Responseの両方が生成される。よって、ソフター合成の情報およびＥ−ＤＣＨトラフィックの確立の情報をＲＮＣ３１０に通知できる。これによって、従来技術では第１レベル・フィールドCHOICE Diversity Indication内で第２レベル・フィールドが１つだけ選択可能であるためにソフター合成の情報とＥ−ＤＣＨトラフィックの確立の情報の一方のみの選択が可能であることに起因する、CHOICE Diversity Indicationフィールドの中身が何であるかによらず生じる通信障害を回避する。この通信障害は、以下の通りである。
【００６０】
４０４において、ＵＥ３４０がステージ４へと移動すると、ＣＥＬＬ０およびＣＥＬＬ１内のＵＥ３４０のための信号が弱くなるので、ＲＮＣ３１０はＲＬ０およびＲＬ１を削除し、ＵＥ３４０は無線リンクＲＬ２のみを有する。ここで、従来技術の方法によれば、CHOICE Diversity Indicationフィールド内でエントリ１つのみが選択可能なので、CombiningがCHOICE Diversity Indicationフィールド内で選択された場合、E-DCH FDD Information Response情報はＲＮＣに通知されず、ステージ４においてＵＥ３４０のためのＥ−ＤＣＨに対応するＨＳＵＰＡトラフィックが中断される。Non CombiningがCHOICE Diversity Indicationフィールド内で選択された場合、ＮＯＤＥＢ３２２は、DCH Information Response IEを埋めこることができず、ＮＯＤＥＢ３２２のＲＬ２の付加が失敗し、ステージ４においてＵＥ３４０は利用可能な無線リンクを有さず、ＵＥ３４０のための全トラフィックが中断される。
【００６１】
理解されるように、本発明の実施形態によって、従来技術においてＲＮＣ３１０にソフター合成の情報とＥ−ＤＣＨトラフィックの新たな確立の情報の両方を知らせることができないことに起因する通信障害が解決され、異なるＮＯＤＥＢのセル間のＵＥ３４０の移動ハンドオーバーにおける正常で安定した通信が保証される。
【００６２】
本発明の実施形態が適用可能なシナリオは、上記したものに限られない。本発明は、ソフター合成の実行と関連トラフィックの確立／付加をＲＮＣへ報告することが必要な状況に適用可能であり、上記の問題が生じることを回避する。
【００６３】
ＤＣＨソフター合成の情報およびＥ−ＤＣＨトラフィックの付加の情報がそれぞれ異なる第１レベル・フィールド内に入れられるフォーマットは、表２に示すものに限られない。第１レベル・フィールドCHOICE Diversity Indication内のCombiningが用いられてＥ−ＤＣＨトラフィックの付加の情報が示され、第１レベル・フィールドE-DCH FDD Information Responseが用いられてＤＣＨソフター合成の情報が示されるとすることができる。さらに、第１レベル・フィールドCHOICE Diversity IndicationとE-DCH FDD Information Responseとの間の相対的な位置関係は、表内で任意に設定可能である。
【００６４】
図５を参照すると、本発明の実施形態は、また、ＵＥ３４０、ＮＯＤＥＢ３２１、ＮＯＤＥＢ３２２、ＲＮＣ３１０を含む通信システムを提供する。ＮＯＤＥＢ３２２は、ハンドオーバー情報生成ユニット３２３を含んでいる。ＵＥ３４０についての移動通信ハンドオーバーは、ともにＲＮＣ３１０によって制御される２つの異なるＮＯＤＥＢ、すなわちＮＯＤＥＢ３２１およびＮＯＤＥＢ３２２間で実行される。ＮＯＤＥＢ３２１はＣＥＬＬ０を有し、ＮＯＤＥＢ３２２はＣＥＬＬ１およびＣＥＬＬ２を有する。ＣＥＬＬ０およびＣＥＬＬ２はＤＣＨおよびＥ−ＤＣＨトラフィックをサポートし、ＣＥＬＬ１はＤＣＨトラフィックのみをサポートする。
【００６５】
ＮＯＤＥＢ３２２は、ＤＣＨトラフィックのみを伝送するための第１リンクＲＬ１を有する。ＵＥ３４０は、ＮＯＤＥＢ３２１のＣＥＬＬ０内でＤＣＨおよびＥ−ＤＣＨトラフィックが実現されている場合、ＮＯＤＥＢ３２２のＣＥＬＬ１とＲＬ１を確立する。
【００６６】
ＲＮＣ３１０がＮＯＤＥＢ３２２にＤＣＨおよびＥ−ＤＣＨトラフィックを伝送するための第２リンクＲＬ２を付加することを要求すると、ＮＯＤＥＢ３２２は、ＲＬ１およびＲＬ２上のＤＣＨトラフィックをソフター合成する。ＮＯＤＥＢ３２２は、ハンドオーバー情報生成ユニット３２３を介して、ソフター合成の情報およびＥ−ＤＣＨトラフィックの新たな付加の情報をＲＮＣ３１０に通知する。
【００６７】
具体的には、ハンドオーバー情報生成ユニット３２３は、RADIO LINK ADDITION RESPONSEフィールドにおいて、中身がCombiningで第１レベル・フィールドであるCHOICE Diversity Indicationフィールド（ＤＣＨソフター合成の情報を示している）および第１レベル・フィールドであるE-DCH FDD Information Responseフィールド（Ｅ−ＤＣＨトラフィックの新たな付加の情報を示している）を生成し、ＤＣＨソフター合成の情報およびＥ−ＤＣＨトラフィックの新たな付加の情報を伝送するRADIO LINK ADDITION RESPONSEメッセージを送信し、ＲＮＣ３１０に通知する。
【００６８】
ＮＯＤＥＢ３２２が第１基地局とも称され、ＮＯＤＥＢ３２１が第２基地局とも称され得ることが理解される。
【００６９】
RADIO LINK ADDITION RESPONSEメッセージの構造については、上記の表３を参照されたい。
【００７０】
図７を参照すると、本発明に従った移動通信ハンドオーバー方法の第２実施形態は、ＵＥ７４０がセル７３０相互間でＤＣＨ／Ｅ−ＤＣＨトラフィックを切り替えるプロセスである。ＵＥ７４０の移動通信ハンドオーバーは、異なる２つのＮＯＤＥＢ、すなわちＮＯＤＥＢ７２１およびＮＯＤＥＢ７２２間で実行される。ＮＯＤＥＢ７２１およびＮＯＤＥＢ７２２は、ともにＲＮＣ７１０によって制御される。ＮＯＤＥＢ７２１はＣＥＬＬ０を有し、ＮＯＤＥＢ７２２はＣＥＬＬ１、ＣＥＬＬ２、ＣＥＬＬ３を有する。図７および図８を参照すると、本プロセスは以下のステップを含んでいる。
【００７１】
４０１、４０２、４０４は、本発明に従った移動通信ハンドオーバー方法の第１実施形態と同じであるので、ここで繰り返し説明しない。
【００７２】
違いは、第１実施形態のステップ４０３に対応する、本実施形態のステップ４０３´にある。
【００７３】
４０３´：ＵＥ３４０が移動を続けると、ステージ３において、ＵＥ３４０は、無線リンク確立のための信号送信プロセスによってＮＯＤＥＢ１のＣＥＬＬ２内のＲＬ２の付加に成功し、無線リンク確立のための信号送信プロセスによってＮＯＤＥＢ１のＣＥＬＬ３内にＲＬ３を付加しようとするが失敗する。ＣＥＬＬ２はＤＣＨおよびＥ−ＤＣＨトラフィックをサポートし、ＣＥＬＬ３はあらゆるトラフィック、例えばＤＣＨまたはＥ−ＤＣＨトラフィック、またはＤＣＨトラフィックおよびＥ−ＤＣＨトラフィックの両方をサポートするセルとすることができる。ＲＬ２の付加に成功し、ＲＬ３の付加に失敗する具体的なプロセスは、以下を含んでいる。
【００７４】
４０３ａ´：ＣＥＬＬ２、ＣＥＬＬ３、ＵＥ３４０が、各々の信号を検出する。
【００７５】
４０３ｂ´：ＣＥＬＬ２、ＣＥＬＬ３、ＵＥ３４０が、ＮＯＤＥＢ７２２を介してＲＮＣ７１０に各々の検出結果を報告する。
【００７６】
４０３ｃ´：ＲＮＣ７１０が、ＲＬ２およびＲＬ３を付加する要求をＮＯＤＥＢ７２２に送信する。
【００７７】
４０３ｄ´：ＮＯＤＥＢ３２２がＲＬ２の付加に成功するが、ＲＬ３の付加に失敗する。
【００７８】
４０３ｅ´：ＲＬ１およびＲＬ２上のＤＣＨトラフィックが、ソフター合成される。
【００７９】
４０３ｆ´：リンク確立結果が、修正されたRADIO LINK ADDITION FAILUREメッセージ内の同じCHOICE Diversity Indicationフィールド内にないＤＣＨトラフィックのソフター合成の情報およびＥ−ＤＣＨトラフィックの付加の情報を伝送することによってＲＮＣ７１０に通知され、ＲＮＣ７１０はリンク確立結果に応じて通信制御を行なう。この実施形態では、ＤＣＨトラフィックのソフター合成の情報およびＥ−ＤＣＨトラフィックの付加の情報は、第２レベル・フィールドSuccessful RL Information Responseに従属する２つの第３レベル・フィールド内で送信される。
【表４】
2010502137.tif 000006
【００８０】
表４において、第２レベル・フィールドSuccessful RL Information Responseに従属する第３レベル・フィールドCHOICE Diversity Indicationについては、２つの第４レベル・フィールドCombiningおよびNon Combiningを有する。CombiningおよびNon Combiningには、これらにそれぞれ従属する第５レベル・フィールドRL IDおよびDCH Information Responseが設けられている。Combiningフィールドが用いられてＲＮＣにソフター合成が通知され、Non Combiningが用いられてＤＣＨの新たな確立／新たな付加が通知される。
【００８１】
やはり第２レベル・フィールドSuccessful RL Information Responseに従属する第３レベル・フィールドE-DCH FDD Information Responseが用いられて、ＵＥ７４０がＥ−ＤＣＨトラフィックを伝送するリンクの確立を要していることがＲＮＣ７１０に通知される。具体的には、Ｅ−ＤＣＨトラフィックが別の無線リンクと合成される必要がある場合、E-DCH FDD Information Responseフィールドは埋められず、反対にＥ−ＤＣＨトラフィックが別の無線リンクと合成される必要がない場合、E-DCH FDD Information Responseフィールドは埋められる。
【００８２】
換言すれば、本発明の実施形態によれば、RADIO LINK ADDITION FAILUREメッセージにおいて、１つの第２レベル・フィールドに従属する第３レベル・フィールドCHOICE Diversity Indicationおよび第３レベル・フィールドE-DCH FDD Information Responseの両方が生成される。これによって、無線リンク上のＤＣＨのCombining／Non CombiningおよびＥ−ＤＣＨの新たな確立／新たな付加は、独立したものとなり、ソフター合成の情報とＥ−ＤＣＨトラフィックの確立の情報の両方がＲＮＣ３１０に通知可能になる。これによって、従来技術では第１レベル・フィールドCHOICE Diversity Indication内で第２レベル・フィールドが１つだけ選択可能であるためにソフター合成の情報とＥ−ＤＣＨトラフィックの確立の情報の一方のみの選択が可能であることに起因する、CHOICE Diversity Indicationフィールドの中身が何であるかによらず生じる通信障害を回避する。この通信障害は、後述の通りである。この結果、ＮＯＤＥＢ７２１、７２２のＣＥＬＬ間でのＵＥ７４０の移動ハンドオーバーの際に、正常で安定した通信が保証される。
【００８３】
本発明の実施形態が適用可能なシナリオは、上記したものに限られない。本発明は、ソフター合成の実行と関連トラフィックの確立／付加をＲＮＣへ報告することが必要な状況に適用可能であり、上記の問題が生じることを回避する。例えば、本発明は、Ｅ−ＤＣＨトラフィックを伝送するための複数の無線リンク（ＲＬ２を含む）の付加に成功し、任意のトラフィックを伝送するためのＲＬ３の付加が失敗する状況に適用可能である。本発明は、また、Ｅ−ＤＣＨトラフィックを伝送するための無線リンクＲＬ２のみ付加に成功し、複数のリンクＲＬ３、ＲＬ４、ＲＬ５等の付加／確立に失敗する状況に適用可能である。換言すれば、本発明は、Ｅ−ＤＣＨトラフィックを伝送するための少なくとも１つの無線リンクの付加に成功するとともに少なくとも１つの無線リンクの付加に失敗する（これらは、RADIO LINK ADDITION FAILUREメッセージ内でＲＮＣに報告される必要がある）状況に適用可能である。
【００８４】
ＤＣＨソフター合成の情報およびＥ−ＤＣＨトラフィックの付加の情報が異なる第１レベル・フィールド内に入れられるフォーマットは、表４に示すものに限られない。第３レベル・フィールドCHOICE Diversity Indication内のCombiningが用いられてＥ−ＤＣＨトラフィックの付加の情報が示され、第２レベルSuccessful RL Information Responseに従属しない第３レベル・フィールドE-DCH FDD Information Responseが用いられてＤＣＨソフター合成の情報が示されるとすることができる。または、第３レベル・フィールドCHOICE Diversity Indication内のCombiningが用いられてＤＣＨソフター合成の情報が示され、第２レベル・フィールドSuccessful RL Information Responseの外の任意の第５、第４、第３、第２、第１レベル・フィールドが用いられてＥ−ＤＣＨトラフィックの情報が示される。さらに、E-DCH FDD Information ResponseフィールドとCHOICE Diversity Indicationフィールドとの間の相対的な位置関係は、表内で任意に設定可能である。
【００８５】
本発明に係る移動通信ハンドオーバー方法の第３実施形態は、上記の第２実施形態に類似しており、違いは、第３リンクの付加に失敗した場合にソフター合成の情報およびＥ−ＤＣＨトラフィックの付加の情報をＲＮＣに通知する方法にあり、具体的には表５に示されている。
【表５】
2010502137.tif 000007
【００８６】
この実施形態は、RADIO LINK ADDITION FAILUREメッセージ内のCHOICE Diversity Indicationフィールドに従属するCombiningフィールド内でＤＣＨソフター合成の情報およびＥ−ＤＣＨトラフィックの付加の情報が伝送され、ＲＮＣに通知されることを特徴としている。表５に示すように、第５レベルRL IDおよびE-DCH FDD Information Responseが第４レベル・フィールドCombiningに従属しており、このため、ＤＣＨソフター合成の情報およびＥ−ＤＣＨトラフィックの付加の情報の両方がＲＮＣに通知可能であり、従来技術ではこれらの両方をＲＮＣに通知できないということを回避し、上述の実施形態と同じ技術効果を達成する。
【００８７】
図７を参照すると、本発明の別の実施形態は、ＵＥ７４０、ＮＯＤＥＢ７２１、ＮＯＤＥＢ７２２、ＲＮＣ７１０を含む通信システムを提供する。ＮＯＤＥＢ７２２は、ハンドオーバー情報生成ユニット７２３を含んでいる。ＵＥ７４０についての移動通信ハンドオーバーは、異なる２つのＮＯＤＥＢ７２１およびＮＯＤＥＢ７２２間で実行される。ＮＯＤＥＢ７２１およびＮＯＤＥＢ７２２はＲＮＣ７１０によって制御される。ＮＯＤＥＢ７２１はＣＥＬＬ０を有し、ＮＯＤＥＢ７２２はＣＥＬＬ１、ＣＥＬＬ２、ＣＥＬＬ３を有する。ＣＥＬＬ０およびＣＥＬＬ２はＤＣＨおよびＥ−ＤＣＨトラフィックをサポートし、ＣＥＬＬ１はＤＣＨトラフィックのみをサポートし、ＣＥＬＬ３に対する特定の要件はない。すなわち、ＣＥＬＬ３はあらゆるトラフィックをサポートし得る。
【００８８】
ＮＯＤＥＢ７２２は、ＤＣＨトラフィックのみを伝送するための第１リンクＲＬ１を有する。ＵＥ７４０は、ＤＣＨおよびＥ−ＤＣＨトラフィックの両方がＮＯＤＥＢ７２１のＣＥＬＬ０内で実現されている場合、ＮＯＤＥＢ７２２のＣＥＬＬ１とＲＬ１を確立する。
【００８９】
ＲＮＣ７１０がＮＯＤＥＢ７２２にＤＣＨおよびＥ−ＤＣＨトラフィックを伝送するための第２リンクＲＬ２を付加することを要求すると、ＮＯＤＥＢ７２２は、ＲＬ１およびＲＬ２上のＤＣＨトラフィックをソフター合成する。ＮＯＤＥＢ７２２は、ハンドオーバー情報生成ユニット７２３を介して、ソフター合成の情報およびＥ−ＤＣＨトラフィックの新たな付加の情報をＲＮＣ７１０に通知する。ＲＮＣ７１０がＮＯＤＥＢ７２２に第３リンクＲＬ３を付加することを要求すると、ＮＯＤＥＢ７２２は、ハンドオーバー情報生成ユニット７２３を介してＲＬ３の新たな付加の情報をＲＮＣ７１０に通知する。
【００９０】
具体的には、第３リンクの付加が失敗の際に、ハンドオーバー情報生成ユニット７２３は、中身がCombiningで第３レベル・フィールドであるCHOICE Diversity Indicationフィールドおよび第３レベル・フィールドであるE-DCH FDD Information ResponseフィールドをRADIO LINK ADDITION FAILUREメッセージ内で生成し、ＤＣＨソフター合成の情報およびＥ−ＤＣＨトラフィックの新たな付加の情報を有するRADIO LINK ADDITION FAILUREメッセージをＲＮＣ７１０に送信する。
【００９１】
RADIO LINK ADDITION FAILUREメッセージの構造については、上記の表４を参照されたい。
【００９２】
理解されるように、本発明の実施形態によれば、ハンドオーバー情報生成ユニット７２３によって、同じRADIO LINK ADDITION FAILUREメッセージ内において、同じCHOICE Diversity Indicationフィールドに従属しない第３レベル・フィールドCHOICE Diversity Indicationおよび第３レベル・フィールドE-DCH FDD Information Responseが生成される。よって、ソフター合成の情報およびＥ−ＤＣＨトラフィックの情報がＲＮＣ７１０に通知される。これによって、従来技術では第３レベル・フィールドCHOICE Diversity Indication内で第４レベル・フィールドが１つだけ選択可能であるためにソフター合成の情報とＥ−ＤＣＨトラフィックの確立の情報の一方のみの選択が可能であることに起因する、CHOICE Diversity Indicationフィールドの中身が何であるかによらず生じる通信障害を回避し、正常な通信を可能にするＲＬ２を首尾よく維持する。
【００９３】
別の実施形態では、ハンドオーバー情報生成ユニット７２３は、Combiningフィールドを含んでいるRADIO LINK ADDITION FAILUREメッセージを生成してＲＮＣに通知する。Combiningフィールドは、CHOICE Diversity Indicationフィールドに従属しており、ＤＣＨソフター合成の情報およびＥ−ＤＣＨトラフィックの付加の情報の両方を伝送する。
【００９４】
こうして、本発明の別の実施形態によって、
無線ネットワーク・コントローラによって制御され、ＤＣＨトラフィックのみを伝送する第１リンクを管理し、ＤＣＨおよびＥ−ＤＣＨトラフィックを伝送する第２リンクおよび任意のトラフィックを伝送する第３リンクを付加する、リンク管理ユニットと、
上述の第３リンクの付加に失敗した場合に上述の第１および第２リンク上のＤＣＨトラフィックをソフター合成するソフター合成ユニットと、
ＤＣＨトラフィックのソフター合成の情報およびＥ−ＤＣＨトラフィックの付加の情報の両方を上述の無線ネットワーク・コントローラに通知するハンドオーバー情報生成ユニットと、
を具備する、移動通信基地局が提供される。
【００９５】
上述のＤＣＨトラフィックのソフター合成の情報および上述のＥ−ＤＣＨトラフィックの付加の情報が、RADIO LINK ADDITION FAILUREメッセージ内の同じチョイス・ダイバーシティー・インディケーション・フィールドではないフィールド内で伝送されて上述の無線ネットワーク・コントローラに通知されるか、
上述のＤＣＨトラフィックのソフター結合の情報および上述のＥ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、上述の無線ネットワーク・コントローラに通知されるか、
上述のＤＣＨトラフィックのソフター合成の情報および上述のＥ−ＤＣＨトラフィックの付加の情報が、RADIO LINK ADDITION RESPONSEメッセージ内の相違する第１レベル・フィールド内で伝送されて上述の無線ネットワーク・コントローラに通知される。
【００９６】
上述のＤＣＨトラフィックのソフター合成の情報および上述のＥ−ＤＣＨトラフィックの付加の情報がRADIO LINK ADDITION FAILUREメッセージの同じチョイス・ダイバーシティー・インディケーション・フィールドではないフィールド内で上述の無線ネットワーク・コントローラに通知される場合、上述のＤＣＨトラフィックのソフター合成の情報がCombiningを含んでいる第３レベル・フィールドCHOICE Diversity Indicationによって示され、Ｅ−ＤＣＨトラフィックの付加の情報が上述の第３レベル・フィールドCHOICE Diversity Indicationと同じ第２レベル・フィールドに従属する第３レベル・フィールドE-DCH FDD Information Responseによって示される。
【００９７】
本発明に係る移動通信ハンドオーバー方法およびそのシステムを、上に詳細に説明した。例を幾つか挙げて、その原理および実施形態を例示した。しかしながら、実施形態の例示は、単に、本発明およびその思想に係る方法を理解するために提供されている。そのような思想に従って、当業者は本発明の別の実施形態および適用例を認識するであろう。よって、上記の記載は、本発明の範囲を限定するものとして解釈されるべきではない。
【図１】
2010502137.tif 000008
【図２】
2010502137.tif 000009
【図３】
2010502137.tif 000010
【図４】
2010502137.tif 000011
【図５】
2010502137.tif 000012
【図６】
2010502137.tif 000013
【図７】
2010502137.tif 000014
【図８】
2010502137.tif 000015
【手続補正書】
【提出日】平成21年5月13日(2009.5.13)
【手続補正１】
【補正対象書類名】明細書
【補正対象項目名】００３１
【補正方法】変更
【補正の内容】
【００３１】
従来技術においてＵＥのためのセル間でのＤＣＨ／Ｅ−ＤＣＨトラフィックを切り替えるプロセスは、上記のシナリオに限られない。上記の技術的問題は、ソフター合成が必要であり、関連するトラフィックの確立がＲＮＣに報告される必要がある場合に生じ得る。換言すれば、RADIO LINK ADDITION FAILUREメッセージの構造に不足があるため、ＮＯＤＥＢは現在のユーザのためのリンクの情報をＲＮＣに通知することができない。この結果、ＩＵＢインターフェース（ＲＮＣとノードＢとの間のインターフェース）での信号送信プロセスにおいてエラーが生じる。
【手続補正２】
【補正対象書類名】明細書
【補正対象項目名】００３９
【補正方法】削除
【補正の内容】
【手続補正３】
【補正対象書類名】明細書
【補正対象項目名】００６３
【補正方法】変更
【補正の内容】
【００６３】
ＤＣＨソフター合成の情報およびＥ−ＤＣＨトラフィックの付加の情報がそれぞれ異なる第１レベル・フィールド内に入れられるフォーマットは、表３に示すものに限られない。第１レベル・フィールドCHOICE Diversity Indication内のCombiningが用いられてＥ−ＤＣＨトラフィックの付加の情報が示され、第１レベル・フィールドE-DCH FDD Information Responseが用いられてＤＣＨソフター合成の情報が示されるとすることができる。さらに、第１レベル・フィールドCHOICE Diversity IndicationとE-DCH FDD Information Responseとの間の相対的な位置関係は、表内で任意に設定可能である。
【手続補正４】
【補正対象書類名】明細書
【補正対象項目名】００７３
【補正方法】変更
【補正の内容】
【００７３】
４０３´：ＵＥ７４０が移動を続けると、ステージ３において、ＵＥ７４０は、無線リンク確立のための信号送信プロセスによってＮＯＤＥＢ１のＣＥＬＬ２内のＲＬ２の付加に成功し、無線リンク確立のための信号送信プロセスによってＮＯＤＥＢ１のＣＥＬＬ３内にＲＬ３を付加しようとするが失敗する。ＣＥＬＬ２はＤＣＨおよびＥ−ＤＣＨトラフィックをサポートし、ＣＥＬＬ３はあらゆるトラフィック、例えばＤＣＨまたはＥ−ＤＣＨトラフィック、またはＤＣＨトラフィックおよびＥ−ＤＣＨトラフィックの両方をサポートするセルとすることができる。ＲＬ２の付加に成功し、ＲＬ３の付加に失敗する具体的なプロセスは、以下を含んでいる。
【手続補正５】
【補正対象書類名】明細書
【補正対象項目名】００７４
【補正方法】変更
【補正の内容】
【００７４】
４０３ａ´：ＣＥＬＬ２、ＣＥＬＬ３、ＵＥ７４０が、各々の信号を検出する
【手続補正６】
【補正対象書類名】明細書
【補正対象項目名】００７５
【補正方法】変更
【補正の内容】
【００７５】
４０３ｂ´：ＣＥＬＬ２、ＣＥＬＬ３、ＵＥ７４０が、ＮＯＤＥＢ７２２を介してＲＮＣ７１０に各々の検出結果を報告する。
【手続補正７】
【補正対象書類名】明細書
【補正対象項目名】００７７
【補正方法】変更
【補正の内容】
【００７７】
４０３ｄ´：ＮＯＤＥＢ７２２がＲＬ２の付加に成功するが、ＲＬ３の付加に失敗する。
【手続補正８】
【補正対象書類名】明細書
【補正対象項目名】００８２
【補正方法】変更
【補正の内容】
【００８２】
換言すれば、本発明の実施形態によれば、RADIO LINK ADDITION FAILUREメッセージにおいて、１つの第２レベル・フィールドに従属する第３レベル・フィールドCHOICE Diversity Indicationおよび第３レベル・フィールドE-DCH FDD Information Responseの両方が生成される。これによって、無線リンク上のＤＣＨのCombining／Non CombiningおよびＥ−ＤＣＨの新たな確立／新たな付加は、独立したものとなり、ソフター合成の情報とＥ−ＤＣＨトラフィックの確立の情報の両方がＲＮＣ７１０に通知可能になる。これによって、従来技術では第１レベル・フィールドCHOICE Diversity Indication内で第２レベル・フィールドが１つだけ選択可能であるためにソフター合成の情報とＥ−ＤＣＨトラフィックの確立の情報の一方のみの選択が可能であることに起因する、CHOICE Diversity Indicationフィールドの中身が何であるかによらず生じる通信障害を回避する。この結果、ＮＯＤＥＢ７２１、７２２のＣＥＬＬ間でのＵＥ７４０の移動ハンドオーバーの際に、正常で安定した通信が保証される。
【手続補正９】
【補正対象書類名】明細書
【補正対象項目名】００８４
【補正方法】変更
【補正の内容】
【００８４】
ＤＣＨソフター合成の情報およびＥ−ＤＣＨトラフィックの付加の情報が異なる第３レベル・フィールド内に入れられるフォーマットは、表４に示すものに限られない。第３レベル・フィールドCHOICE Diversity Indication内のCombiningが用いられてＥ−ＤＣＨトラフィックの付加の情報が示され、第２レベルSuccessful RL Information Responseに従属しない第３レベル・フィールドE-DCH FDD Information Responseが用いられてＤＣＨソフター合成の情報が示されるとすることができる。または、第３レベル・フィールドCHOICE Diversity Indication内のCombiningが用いられてＤＣＨソフター合成の情報が示され、第２レベル・フィールドSuccessful RL Information Responseの外の任意の第５、第４、第３、第２、第１レベル・フィールドが用いられてＥ−ＤＣＨトラフィックの情報が示される。さらに、E-DCH FDD Information ResponseフィールドとCHOICE Diversity Indicationフィールドとの間の相対的な位置関係は、表内で任意に設定可能である。
【手続補正１０】
【補正対象書類名】明細書
【補正対象項目名】００９２
【補正方法】変更
【補正の内容】
【００９２】
理解されるように、本発明の実施形態によれば、ハンドオーバー情報生成ユニット７２３によって、同じRADIO LINK ADDITION FAILUREメッセージ内において、第３レベル・フィールドCHOICE Diversity Indicationおよび第３レベル・フィールドE-DCH FDD Information Responseが生成される。よって、ソフター合成の情報およびＥ−ＤＣＨトラフィックの情報がＲＮＣ７１０に通知される。これによって、従来技術では第３レベル・フィールドCHOICE Diversity Indication内で第４レベル・フィールドが１つだけ選択可能であるためにソフター合成の情報とＥ−ＤＣＨトラフィックの確立の情報の一方のみの選択が可能であることに起因する、CHOICE Diversity Indicationフィールドの中身が何であるかによらず生じる通信障害を回避し、正常な通信を可能にするＲＬ２を首尾よく維持する。
【手続補正１１】
【補正対象書類名】特許請求の範囲
【補正対象項目名】全文
【補正方法】変更
【補正の内容】
【特許請求の範囲】
【請求項１】
ＤＣＨトラフィックのみを伝送する第１リンクに加えて、ＤＣＨおよびＥ−ＤＣＨトラフィックを伝送する第２リンクおよび任意のトラフィックを伝送する第３リンクを付加する工程と、
前記第３リンクの付加に失敗した場合、前記第１および第２リンク上のＤＣＨトラフィックをソフター合成する工程と、
前記ＤＣＨトラフィックのソフター合成の情報とＥ−ＤＣＨトラフィックの付加の情報の両方を無線ネットワーク・コントローラに通知する工程と、
を具備し、
前記無線ネットワーク・コントローラは、受信した前記ＤＣＨトラフィックのソフター合成の情報とＥ−ＤＣＨトラフィックの付加の情報に応じて通信制御を行なう、移動通信ハンドオーバー方法。
【請求項２】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知される、請求項１の移動通信ハンドオーバー方法。
【請求項３】
RADIO LINK ADDITION FAILUREメッセージを介して前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、請求項２の移動通信ハンドオーバー方法。
【請求項４】
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知される、請求項１の移動通信ハンドオーバー方法。
【請求項５】
前記ＤＣＨトラフィックのソフター結合の情報が第５レベル・フィールドCHOICE Diversity Indication内で伝送され、
前記Ｅ−ＤＣＨトラフィックの付加の情報が第５レベル・フィールドE-DCH FDD Information Response内で伝送され、
第５レベル・フィールドRL IDおよびE-DCH FDD Information Responseの両方が、第４レベル・フィールドCombiningに従属する、
請求項４の移動通信ハンドオーバー方法。
【請求項６】
前記Ｅ−ＤＣＨトラフィックの付加の情報が、Ｅ−ＤＣＨトラフィックが別の無線リンクと合成される必要がある場合は前記E-DCH FDD Information Responseがヌルとされ、そうでない場合は埋められる形で、前記無線ネットワーク・コントローラに通知される、請求項２乃至４のいずれか１項の移動通信ハンドオーバー方法。
【請求項７】
第１基地局および無線ネットワーク・コントローラを具備する移動通信システムであって、
前記第１基地局が、前記第１基地局に従属するＤＣＨトラフィックのみを伝送する第１リンクを有し、ＤＣＨおよびＥ−ＤＣＨトラフィックを伝送する第２リンクおよび任意のトラフィック伝送する第３リンクを付加し、前記第３リンクの付加に失敗した場合に前記第１および第２リンク上のＤＣＨトラフィックをソフター結合し、ＤＣＨトラフィックのソフター結合の情報およびＥ−ＤＣＨトラフィックの付加の情報の両方を前記無線ネットワーク・コントローラに通知し、
前記無線ネットワーク・コントローラが、前記受信した情報に応じて通信制御を行なう、
第１基地局および無線ネットワーク・コントローラを具備する移動通信システム。
【請求項８】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知される、請求項７の移動通信システム。
【請求項９】
RADIO LINK ADDITION FAILUREメッセージを介して前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、請求項８の移動通信システム。
【請求項１０】
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知される、請求項７の移動通信システム。
【請求項１１】
無線ネットワーク・コントローラによって制御され、ＤＣＨトラフィックのみを伝送する第１リンクを管理し、ＤＣＨおよびＥ−ＤＣＨトラフィックを伝送する第２リンクおよび任意のトラフィックを伝送する第３リンクを付加する、リンク管理ユニットと、
前記第３リンクの付加に失敗した場合に前記第１および第２リンク上のＤＣＨトラフィックをソフター合成するソフター合成ユニットと、
ＤＣＨトラフィックのソフター合成の情報およびＥ−ＤＣＨトラフィックの付加の情報の両方を前記無線ネットワーク・コントローラに通知するハンドオーバー情報生成ユニットと、
を具備する、移動通信基地局。
【請求項１２】
前記ＤＣＨトラフィックのソフター合成の情報および前記Ｅ−ＤＣＨトラフィックの付加の情報が、RADIO LINK ADDITION FAILUREメッセージ内の同じチョイス・ダイバーシティー・インディケーション・フィールドではないフィールド内で伝送されて前記無線ネットワーク・コントローラに通知されるか、
前記ＤＣＨトラフィックのソフター結合の情報および前記Ｅ−ＤＣＨトラフィックの付加の情報の両方が、RADIO LINK ADDITION FAILUREメッセージ内のチョイス・ダイバーシティー・インディケーション・フィールドに従属するCombiningフィールド内で伝送されて、前記無線ネットワーク・コントローラに通知され、
前記ＤＣＨトラフィックのソフター合成の情報および前記Ｅ−ＤＣＨトラフィックの付加の情報がRADIO LINK ADDITION FAILUREメッセージの同じチョイス・ダイバーシティー・インディケーション・フィールドではないフィールド内で前記無線ネットワーク・コントローラに通知される場合、前記ＤＣＨトラフィックのソフター合成の情報がCombiningを含んでいる第３レベル・フィールドCHOICE Diversity Indicationによって示され、Ｅ−ＤＣＨトラフィックの付加の情報が前記第３レベル・フィールドCHOICE Diversity Indicationと同じ第２レベル・フィールドに従属する第３レベル・フィールドE-DCH FDD Information Responseによって示される、
請求項１１の基地局。
【請求項１３】
前記ＤＣＨトラフィックのソフター結合の情報が第５レベル・フィールドCHOICE Diversity Indication内で伝送され、
前記Ｅ−ＤＣＨトラフィックの付加の情報が第５レベル・フィールドE-DCH FDD Information Response内で伝送され、
第５レベル・フィールドRL IDおよびE-DCH FDD Information Responseの両方が、第４レベル・フィールドCombiningに従属する、
請求項１１の基地局。
【手続補正１２】
【補正対象書類名】図面
【補正対象項目名】図２
【補正方法】変更
【補正の内容】
【図２】
2010502137.tif 000016
【手続補正１３】
【補正対象書類名】図面
【補正対象項目名】図４
【補正方法】変更
【補正の内容】
【図４】
2010502137.tif 000017
【手続補正１４】
【補正対象書類名】図面
【補正対象項目名】図６
【補正方法】変更
【補正の内容】
【図６】
2010502137.tif 000018
【手続補正１５】
【補正対象書類名】図面
【補正対象項目名】図８
【補正方法】変更
【補正の内容】
【図８】
2010502137.tif 000019
【国際調査報告】
2010502137.tif 000020
2010502137.tif 000021
2010502137.tif 000022
2010502137.tif 000023